(57)【特許請求の範囲】
【請求項１】
互いに嵌合すべき一方の部材に外向きの係合爪を設けると共に、他方の部材には前記係合爪に嵌め込み係合させるための係合穴を有する係合片部を一体形成し、前記一方の部材に他方の部材を一方向から嵌合させて前記係合爪と係合穴を嵌め込み係合させる部材嵌合構造において、前記両方の部材の少なくとも一方に、前記係合爪と係合穴の係合を解除する治具を前記係合穴の内部から前記係合片部の裏側に複数方向から挿入可能な治具挿入用の間隙を設け、
前記間隙は、前記係合爪よりも前記係合穴を幅広く形成することで前記係合爪の幅方向の少なくとも一側に形成された係合穴の余白空隙と、前記係合穴の余白空隙に接続し、前記係合爪の一側縁部に沿って前記一方の部材に設けられたスリット、または、前記係合穴の余白空隙に接続し、前記係合爪の一側縁部に沿って前記他方の部材に設けられた溝とを有することを特徴とする部材嵌合構造。
【請求項２】
一方の部材が板金で形成され、他方の部材が樹脂材で形成されていることを特徴とする請求項１記載の部材嵌合構造。
【請求項３】
両方の部材を板金または樹脂材で形成したことを特徴とする請求項１記載の部材嵌合構造。
【請求項４】
係合片部が弾力性を有し、係合爪が剛性を有していることを特徴とする請求項１記載の部材嵌合構造。
【発明の詳細な説明】
【０００１】
【発明の属する技術分野】
この発明は、例えば自動車のセンターコンソールに納められるカーオーディオ等のシャーシに化粧パネルを組み付ける場合などに適用される部材嵌合構造及びその部材嵌合解除方法に関するものである。
【０００２】
【従来の技術】
図１０は従来の部材嵌合構造を示す分解斜視図、図１１（ａ）は図１０の要部拡大平面図、図１１（ｂ）は図１１（ａ）のＣ−Ｃ線断面図、図１２は図１１（ａ）の部材嵌合状態を示す平面図である。
図において、１は例えば自動車のセンターコンソール内に納められるカーオーディオ等のケース、２はそのケース１の前面開口端に一体のパネル嵌合用のシャーシであり、このシャーシ２の外壁面には係合爪３が切り起し形成されている。
【０００３】
４は前記ケース１上に前記シャーシ２を避けて一体的に載置されたディスプレイ等の搭載物、５は前記ケース１の前面開口部に組み付ける化粧用のパネルである。このパネル５は、前記ケース１の前面開口部となる前記シャーシ２の外側に前方から嵌め込む嵌合周壁部５ａを一体に有する樹脂材からなっている。したがって、前記シャーシ２とパネル５は互いに嵌合すべき２つの部材となるものである。
【０００４】
６は前記嵌合周壁部５ａにおける前記係合爪３との対応位置に切り込み形成された弾性変形可能な係合片部である。この係合片部６の中央部には、前記係合爪３に係脱可能に嵌め込み係合させるための係合穴６ａが設けられている。
ここで、前記係合爪３は、この切り起し端部が前記搭載物４の立ち上がり前面４ａと対向するようテーパ状に形成されている。一方、前記係合穴６ａは前記係合爪３とほぼ同一幅に形成されているもので、前記シャーシ２に対する前記パネル５の嵌合時に前記係合爪３に係合するようになっている。
【０００５】
図１３は図１２中の部材嵌合解除時の動作説明図、図１４は図１３の断面図であり、図において、１０はパネル取り外し用の治具であり、この治具１０としては、例えばマイナスドライバーやピンセット等のような先端扁平部材であればよい。
【０００６】
次に動作について説明する。
まず、パネル５の取り付けに際して、ケース１前部のシャーシ２の外側に前方からパネル５を嵌合させると、その嵌合過程でパネル５の係合片部６がシャーシ２の係合爪３上に弾性変形しながら乗り上げ、その係合片部６の先端部位が前記係合爪３を通過した時点で前記係合片部６が弾性復元して該係合片部６の係合穴６ａが前記係合爪３に係合する。これにより、前記シャーシ２にパネル５が組み付けられる。
【０００７】
その組み付け状態において、ケース１の内部点検や修理等のためにパネル５を取り外す際には、図１３および図１４に示すように、前記係合片部６の先端側（シャーシ２に対するパネル５の嵌合方向とは逆方向）から該係合片部６とシャーシ２との間に治具１０を差し込むことができれば、その治具１０で前記係合片部６を引き起こして該係合片部６と前記係合爪３との係合を解除することができるので、前記シャーシ２からパネル５を取り外すことができる。
【０００８】
【発明が解決しようとする課題】
従来のパネル嵌合構造は以上のように構成されているので、シャーシ２に嵌め込み係合されたパネル５の取り外しに際しては、シャーシ２の係合爪３とパネル５の係合片部６との係合を治具１０で解除する必要があるが、その係合解除方向が前記シャーシ２に対するパネル５の嵌合方向とは逆方向に制約されるため、ケース１上に搭載物４が無ければ、前記パネル５の嵌合とは逆方向からパネル５の係合片部６とシャーシ２との間に治具１０を差し込んで前記係合爪３と前記係合片部６との係合を解除することができるが、ケース１上に搭載物４が一体的にユニット化されていると、その搭載物４が邪魔となって治具１０を前記係合片部６とシャーシ２との間に差し込むことができなくなり、このため、カーオーディオ等の点検や修理等に際してのパネル５の取り外し作業が非常に困難化するという課題があった。
【０００９】
そこで、従来周知のように、シャーシ２とパネル５との嵌合部をネジ止めすれば、ケース１上に搭載物４がユニット化されていても、その搭載物４がパネル取り外し時の弊害となるようなことはないが、しかし、この場合、シャーシ２に対するパネル５組み付け時のネジ止め作業やパネル５取り外し時のネジ外し作業に多くの手数がかかって作業性が悪いという課題があった。
【００１０】
この発明は上記のような課題を解決するためになされたもので、止めネジを必要とせずに、互いに嵌合すべき２つの部材を容易に嵌め込み係合させることができ、その係合部近傍に障害壁面等があってもドライバー等の治具による部材相互の係合を容易に解除することができる部材嵌合構造及びその部材嵌合解除方法を得ることを目的とする。
【００１１】
【課題を解決するための手段】
この発明に係る部材嵌合構造は、互いに嵌合すべき一方の部材に外向きの係合爪を設けると共に、他方の部材には前記係合爪に嵌め込み係合させるための係合穴を有する係合片部を一体形成し、前記一方の部材に他方の部材を一方向から嵌合させて前記係合爪と係合穴を嵌め込み係合させる部材嵌合構造において、前記両方の部材の少なくとも一方に、前記係合爪と係合穴の係合を解除する治具を前記係合穴の内部から前記係合片部の裏側に複数方向から挿入可能な治具挿入用の間隙を設け、前記間隙は、前記係合爪よりも前記係合穴を幅広く形成することで前記係合爪の幅方向の少なくとも一側に形成された係合穴の余白空隙と、前記係合穴の余白空隙に接続し、前記係合爪の一側縁部に沿って前記一方の部材に設けられたスリット、または、前記係合穴の余白空隙に接続し、前記係合爪の一側縁部に沿って前記他方の部材に設けられた溝とを有するものである。
【００１３】
この発明に係る部材嵌合構造は、一方の部材に、係合爪の幅方向の少なくとも一側縁部に沿って、その係合爪が係合した係合穴の余白空隙に接続するスリットを設けたものである。
【００１５】
この発明に係る部材嵌合構造は、一方の部材を板金で形成し、他方の部材を樹脂材で形成したものである。
【００１６】
この発明に係る部材嵌合構造は、両方の部材を板金または樹脂材で形成したものである。
【００１７】
この発明に係る部材嵌合構造は、係合片部が弾力性を有し、係合爪が剛性を有しているものである。
【００１９】
【発明の実施の形態】
以下、この発明の実施の一形態を説明する。
実施の形態１．
図１はこの発明の実施の形態１による部材嵌合構造の分解斜視図、図２（ａ）は図１の要部拡大平面図、図２（ｂ）は図２（ａ）のＡ−Ａ線断面図、図３は図２（ａ）の部材嵌合状態を示す平面図であり、図１０〜図１４と同一の構成要素には同一符号を付して重複説明を省略する。
図において、７は互いに嵌合すべき一方の部材となるシャーシ２の係合爪３近傍に設けたスリットである。このスリット７は、図２（ａ）に示すように、前記係合爪３の先端縁部に沿う先端スリット部位７ａと、前記係合爪３の幅方向両側縁部に沿う側部スリット部位７ｂとからなるコ字状に形成されている。かかるスリット７は、前記シャーシ２に嵌合すべき他方の部材となるパネル５に一体形成された係合片部６の裏側に、後述する係合穴８から治具１０の挿入を可能とする治具挿入用の間隙を形成するものである。
【００２０】
８は前記係合片部６の中央部に形成した係合穴であり、この係合穴８は前記係合爪３の幅よりも幅広く形成されている。したがって、前記係合爪３に嵌め込み係合させた前記係合穴８の幅方向両側には、前記係合爪３の幅方向両端縁部との間に余白空隙が形成される。この余白空隙は、前記スリット７両側の側部スリット部位７ｂと共に治具挿入用の間隙８ａ（図４，図５参照）を形成するものである。なお、前記係合爪３は剛性で、前記係合片部６は弾性変形可能となっているものである。
【００２１】
次に動作について説明する。
まず、パネル５の組み付けに際して、シャーシ２の周壁部外側に前方からパネル５を嵌合させると、その嵌合過程でパネル５の係合片部６がシャーシ２の係合爪３上に弾性変形しながら乗り上げ、その係合片部６の先端部位が前記係合爪３を通過した時点で前記係合片部６が弾性復元して該係合片部６の係合穴８が前記係合爪３に係合する。これにより、前記シャーシ２にパネル５が組み付けられる。
【００２２】
ここで、前記係合片部６の係合穴８は前記係合爪３の幅よりも幅広く形成されているので、シャーシ２にパネル５が組み付けられた状態では、前記係合穴８の幅方向両側に前記係合爪３の幅方向両側縁部との間に治具１０を挿入可能な間隙８ａが形成され、この間隙８ａには前記係合爪３側のスリット７両側の側部スリット部位７ｂが合致連通した状態となる。
【００２３】
次に、前記パネル５を取り外す際には、前記係合穴８内の係合爪３の幅方向両側に形成されている前記間隙８ａから前記係合爪３の側部スリット部位７ｂを介して係合片部６の先端部裏側に治具１０を差し込み挿入し（図５（ａ）、（ｂ）参照）、該治具１０で前記係合片部６を弾性力に抗して引き上げ変形させる（図５（ｃ）参照）。これにより、前記係合爪３と係合穴８との係合が解除されるので、その係合解除状態では、シャーシ２からパネル５を容易に取り外すことができる。
【００２４】
以上説明した実施の形態１によれば、シャーシ２の係合爪３の近傍にスリット７を設けると共に、パネル５の係合片部６には前記係合爪３よりも幅広い係合穴８を形成することで、この係合穴８に嵌め込み係合された前記係合爪３の幅方向両側に前記スリット７と部分的に連通して治具１０の挿入を可能とする間隙８ａが形成されるように構成したので、たとえケース１上に搭載物４がユニットされている場合でも、パネル５の取り外し時における治具１０の差し込み挿入方向がシャーシ２に対するパネル５の嵌合方向とは逆方向に制約されるようなことがなく、パネル５の嵌合方向に沿って前記間隙８ａからスリット７の側部スリット部位７ｂを介して前記係合片部６の先端部裏側に治具１０を差し込み挿入することができる。このため、前記治具１０による前記係合爪３と係合穴８の係合解除が容易で、前記パネル５をシャーシ２から簡単に取り外すことができるという効果がある。
【００２５】
実施の形態２．
前記実施の形態１では、パネル５側の治具挿入用の間隙８ａが、係合穴８に係合した係合爪３の幅方向両側部に形成されるように構成したが、その係合爪３の幅方向一側部のみに形成されるようにしてもよい。これと同様にして、前記シャーシ２の係合爪３近傍に形成したスリット７は、必ずしも平面コ字状に形成する必要はなく、前記係合爪３の幅方向の少なくとも一側に沿って形成されたスリットであってもよい。
したがって、この実施の形態２の場合でも前記実施の形態１と同様の作用効果を得ることができる。
【００２６】
実施の形態３．
図６（ａ）はこの発明の実施の形態３による部材嵌合構造の分解斜視図、図６（ｂ）は図６（ａ）のＢ−Ｂ線断面図、図７は図６（ａ）の部材嵌合状態を示す平面図であり、図１〜図５と同一の構成要素には同一符号を付して重複説明を省略する。
図において、９は係合片部６の先端部裏面に形成して係合穴８の両側に接続されたテーパ状の溝からなる治具挿入用の間隙である。
すなわち、この実施の形態３では、前記実施の形態１によるシャーシ２側のスリット７の代えてテーパ溝状の間隙９をパネル５側の係合片部６の先端部裏面に形成して係合穴８に接続させたものである。
【００２７】
このような間隙９を設けた実施の形態３の場合であっても、図８及び図９に示すように、係合穴８に係合した係合爪３の幅方向一側縁部に沿って前記間隙９に治具１０を挿入することにより、前記係合片部６の裏側に治具１０を差し込することができ、このため、前記実施の形態１の場合と同様の作用効果が得られる。
【００２８】
なお、この実施の形態３による前記間隙９は、テーパ状の溝に限らず、例えば、前記係合片部６の先端部裏面における係合穴８側を部分的に切り欠いて形成された溝であってもよく、また、その溝は前記係合片部６の幅方向両側の裏面に形成されたものであってもよい。そのいずれの場合でも前記実施の形態１と同様の作用効果が得られる。
【００２９】
実施の形態４．
前記実施の形態３では、パネル５の係合片部６の裏面に溝状の間隙９を設けたが、その間隙９は、シャーシ２におけるパネル５との嵌合面に形成した溝からなるものであってもよく、この場合でも、その溝から前記係合片部６の治具１０を挿入することができるので、前記実施の形態１と同様の作用効果が得られる。
【００３０】
実施の形態５．
前記実施の形態１では、一方の部材であるシャーシ２を板金で形成し、他方の部材であるパネル５を樹脂材で形成するようにしたが、それらのシャーシ２とパネル５の両方を板金または樹脂材で形成するようにしてもよく、この場合であっても、係合片部６に、係合爪３と係合穴８との係合強度を満足させるに十分な弾性力を付与することができる。
【００３１】
実施の形態６．
前記各実施の形態では、カーオーディオ等のシャーシ２と、このシャーシ２の前面開口部に組み付ける化粧用のパネル５とを、互いに嵌合すべき部材として説明したが、その嵌合すべき部材は、前記シャーシ２とパネル５に限らず、その他の例えばコネクタ等であってもよい。
【００３２】
実施の形態７．
前記各実施の形態では、係合爪３と係合穴８を平面上で係合させるようにしたが、その係合爪３と係合穴８は、曲面状や円筒面上または球面状に係合させることも可能である。また、前記シャーシ２およびパネル５は、それぞれの形状が特定されるものではなく、いかなる形状のものであってもよい。
【００３３】
【発明の効果】
以上のように、この発明によれば、互いに嵌合すべき一方の部材に外向きの係合爪を設けると共に、他方の部材には前記係合爪に嵌め込み係合させるための係合穴を有する係合片部を一体形成し、前記一方の部材に他方の部材を一方向から嵌合させて前記係合爪と係合穴を嵌め込み係合させる部材嵌合構造において、前記両方の部材の少なくとも一方に、前記係合爪と係合穴の係合を解除する治具を前記係合穴の内部から前記係合片部の裏側に複数方向から挿入可能な治具挿入用の間隙を設け、前記間隙は、前記係合爪よりも前記係合穴を幅広く形成することで前記係合爪の幅方向の少なくとも一側に形成された係合穴の余白空隙と、前記係合穴の余白空隙に接続し、前記係合爪の一側縁部に沿って前記一方の部材に設けられたスリット、または、前記係合穴の余白空隙に接続し、前記係合爪の一側縁部に沿って前記他方の部材に設けられた溝とを有するように構成したので、前記係合爪と係合穴の係合を解除する治具の挿入方向が、一方の部材に対する他方の部材の嵌合方向とは反対方向に制約されるようなことがなく、このため、前記係合爪と係合穴との係合部付近に障害壁面等があっても、前記係合穴の内部から係合片部の裏側に前記間隙から治具を容易に差し込むことができ、このため、前記治具による前記係合爪と係合穴の係合解除が容易で、一方の部材から他方の部材を簡単に取り外すことができるという効果がある。
【００３７】
この発明によれば、一方の部材を板金で形成し、他方の部材を樹脂材で形成するように構成したので、板金製の部材に形成された係合爪の剛性が得られると共に、樹脂製の部材に形成された係合片部には十分な弾力性を付与できるという効果がある。
【００３８】
この発明によれば、両方の部材を板金または樹脂材で形成するように構成したので、板金製部材の場合は係合爪と係合穴との係合強度を十分に満足させることができ、樹脂製部材の場合は係合片部に十分な弾性力を付与することができて係合爪と係合穴係合強度を満足させることができるという効果がある。
【００３９】
この発明によれば、係合片部が弾力性を有し、係合爪が剛性を有するように構成したので、係合爪の機械的強度を十分に得ることができると共に、係合爪と係合穴の係合解除に際して係合片部を容易に弾性変形させることができるという効果がある。
【図面の簡単な説明】
【図１】  この発明の実施の形態１による部材嵌合構造を示す分解斜視図である。
【図２】  図２（ａ）は図１の要部を部分的に示す拡大平面図、図２（ｂ）は図２（ａ）のＡ−Ａ線断面図である。
【図３】  図２（ａ）の部材嵌合状態を示す平面図である。
【図４】  図３の部材嵌合解除時の動作説明図である。
【図５】  図４の部材嵌合解除工程を示す図である。
【図６】  図６（ａ）はこの発明の実施の形態３による部材嵌合構造の分解斜視図、図６（ｂ）は図６（ａ）のＢ−Ｂ線断面図である。
【図７】  図６（ａ）の部材嵌合状態を示す平面図である。
【図８】  図７の部材嵌合解除時の動作説明図である。
【図９】  図８の部材嵌合解除工程を示す図である。
【図１０】  従来の部材嵌合構造を示す分解斜視図である。
【図１１】  図１１（ａ）は図１０の要部拡大平面図、図１１（ｂ）は図１１（ａ）のＣ−Ｃ線断面図である。
【図１２】  図１１（ａ）の部材嵌合状態を示す平面図である。
【図１３】  図１２の部材嵌合解除動作を説明するための平面図である。
【図１４】  図１３の断面図である。
【符号の説明】
１  ケース、２  シャーシ（一方の部材）、３  係合爪、４  搭載物、５  パネル（他方の部材）、６  係合片部、７  スリット（間隙）、７ａ  先端側スリット部位、７ｂ  側部スリット部位（間隙）、８  係合穴、８ａ  間隙、９  間隙（溝）、１０  治具。
【図１】
0004050045.tif 000002
【図２】
0004050045.tif 000003
【図３】
0004050045.tif 000004
【図４】
0004050045.tif 000005
【図５】
0004050045.tif 000006
【図６】
0004050045.tif 000007
【図７】
0004050045.tif 000008
【図８】
0004050045.tif 000009
【図９】
0004050045.tif 000010
【図１０】
0004050045.tif 000011
【図１１】
0004050045.tif 000012
【図１２】
0004050045.tif 000013
【図１３】
0004050045.tif 000014
【図１４】
0004050045.tif 000015